(57)【要約】      （修正有）【課題】朝顔などの園芸用植物の成長度合いを、容易に、かつ毎回同じ条件で測定できる植木鉢用支柱を提供する。【解決手段】植木鉢２に立設されて、朝顔８などの園芸用植物を支持する支柱において、当該支柱が、朝顔を囲撓する横桟４と、横桟を植木鉢の上方に支持する縦支柱３とを備えて構成され、横桟４にゲージ７を取付け、ゲージに目盛り７２や数値などの指標を付しておく。児童などの観察者は、目盛りや数値を読取るだけで、成長度合いを容易に測定することができる。ゲージ７は横桟４に取付けたままであるので、毎回同じ条件で測定することができる。【選択図】図１
0003203006.tif 000002
【実用新案登録請求の範囲】
【請求項１】
植木鉢に立設されて、園芸用植物を支持する支柱において、
前記支柱は、前記園芸用植物を囲撓する横桟と、その横桟を前記植木鉢の上方に支持する縦支柱とを備えて構成され、
前記横桟に取付けられ、前記園芸用植物の生長度合いを読取るための指標が付されたゲージをさらに備えることを特徴とする植木鉢用支柱。
【請求項２】
前記横桟および縦支柱は、互いに組を成し、前記園芸用植物の生長に伴い、前記組は上方に連結されてゆき、
前記ゲージは、最上部の横桟から垂下していることを特徴とする請求項１記載の植木鉢用支柱。
【請求項３】
各組における前記横桟および縦支柱は、相互に等しい長さに形成され、かつ前記横桟は正多角形状に配置され、前記縦支柱は、下端部において、予め定める一方向に傾倒可能に枢支されており、
複数組の前記横桟および縦支柱は、初期にはその縦支柱の総てが傾倒して、横桟が相互に積層されており、前記園芸用植物の生長に伴い、１組ずつ縦支柱が起立され、横桟が上昇してゆくことを特徴とする請求項２記載の植木鉢用支柱。
【請求項４】
前記ゲージは、前記指標が付された耐水紙から成ることを特徴とする請求項２記載の植木鉢用支柱。
【請求項５】
前記請求項１〜４のいずれか１項に記載の植木鉢用支柱と、植木鉢とを備えることを特徴とする支柱付植木鉢。
【請求項６】
植木鉢に植設される園芸用植物の生長を測定するためのゲージであって、
前記植木鉢に立設されて、前記園芸用植物を支持する支柱に横桟が設けられている場合に、その横桟から垂下して設けられ、前記園芸用植物の生長度合いを読取るための指標が付されていることを特徴とする園芸用植物のゲージ。
【考案の詳細な説明】
【技術分野】
【０００１】
本考案は、朝顔等の園芸用植物を植える植木鉢に立設して蔓を巻き付けるための植木鉢用支柱および当該支柱を備えた植木鉢に関し、特に学校などで児童が前記園芸用植物の成長を観察するような用途で好適に使用されて、前記支柱に関連して設けられるゲージに関する。
【背景技術】
【０００２】
上記のような植木鉢用支柱および植木鉢の一例としては、たとえば本件出願人が、特許文献１で提案したものが挙げられる。図３は、その支柱付植木鉢１の全体を組上げた、すなわち園芸用植物の成長末期での状態を示す斜視図であり、図４は組上げる前、すなわち当該支柱付植木鉢１の購入時から園芸用植物の発芽程度までの状態を示す斜視図であり、図５は支柱付植木鉢１の一部を組上げた、すなわち園芸用植物の成長途中の状態を示す斜視図である。
【０００３】
この支柱付植木鉢１は、植木鉢２を基台として、その隅角部からリンク状に縦支柱３および横桟４を複数組（段）組上げている。この図３〜図５の例では、縦支柱３および横桟４の組は３組（段）で、植木鉢２の四隅から縦支柱３が立ち上がる、すなわち横桟４が平面視で正方形の各辺を構成している。そして、横桟４は、正多角形状に一体で成型されるのに対して、注目すべきは、各組（段）における横桟４および縦支柱３は、相互に等しい長さに形成され、かつ縦支柱３は、植木鉢２または横桟４の前記隅角部における結節点５において、予め定める一方向に傾倒可能に枢支されていることである。
【０００４】
このような格別の構成を採用することで、この支柱付植木鉢１は、図４で示すように初期にはその縦支柱３の総てが傾倒して、横桟４が相互に積層状態となって（折畳まれて）おり、園芸用植物の生長に伴い、図４→図５→図３で示すように、１組ずつ縦支柱３が起立され、横桟４が上昇してゆくようになっている。
【０００５】
これによって、極めて容易に、園芸用植物の生長に合わせて、該園芸用植物の蔓が巻付く縦支柱３を延長してゆくことができるとともに、それに伴い、園芸用植物を囲撓する横桟３も、植木鉢２の上方に持ち上げてゆくことができるようになっている。また、各段（組）の横桟４および縦支柱３は、それぞれ同一形状であり、同じ金型で成型できるようになっている。こうして、特許文献１は、極めて優れた園芸用植物の植木鉢１を実現している。
【０００６】
植木鉢２には、その底部に水受けのトレイ２１が設けられており、一側部にペットボトル７を支持する支持部材２２およびそのペットボトル７からの水をトレイ２１に供給する水受け２３が設けられている。
【先行技術文献】
【特許文献】
【０００７】
【特許文献１】特願２０１５−２０５９８９号
【考案の概要】
【考案が解決しようとする課題】
【０００８】
上述の従来技術は、園芸用植物の成長に合わせて、極めて容易に、縦支柱３を伸ばし、該園芸用植物を横桟３で囲繞できるようになっている。しかしながら、児童の観察などで、園芸用植物の成長度合いを測定しようとすれば、都度、定規やメジャーを宛がう必要がある。そのため、定規やメジャーを宛がうために片手が使えず、測定結果の記録に両手が使えなかったり、毎回同じ条件で測定できないという問題がある。
【０００９】
本考案の目的は、園芸用植物の成長度合いを、容易に、かつ毎回同じ条件で測定することができる植木鉢用支柱およびそれを備えた植木鉢ならびに園芸用植物のゲージを提供することである。
【課題を解決するための手段】
【００１０】
本考案の植木鉢用支柱は、植木鉢に立設されて、園芸用植物を支持する支柱において、前記支柱は、前記園芸用植物を囲撓する横桟と、その横桟を前記植木鉢の上方に支持する縦支柱とを備えて構成され、前記横桟に取付けられ、前記園芸用植物の生長度合いを読取るための指標が付されたゲージをさらに備えることを特徴とする。
【００１１】
また、本考案の園芸用植物のゲージは、植木鉢に植設される園芸用植物の生長を測定するためのゲージであって、前記植木鉢に立設されて、前記園芸用植物を支持する支柱に横桟が設けられている場合に、その横桟から垂下して設けられ、前記園芸用植物の生長度合いを読取るための指標が付されていることを特徴とする。
【００１２】
上記の構成によれば、植木鉢に立設されて、朝顔などの園芸用植物を支持する支柱において、前記支柱が、前記園芸用植物を囲撓する横桟と、その横桟を前記植木鉢の上方に支持する縦支柱とを備えて構成される場合に、前記横桟にゲージを取付け、そのゲージに、前記園芸用植物の生長度合いを読取るための目盛りや数値などの指標を付しておく。
【００１３】
したがって、児童などの園芸用植物の成長度合いを観察する者は、前記目盛りや数値を読取るだけで、前記成長度合いを容易に測定することができるとともに、ゲージは横桟に取付けたままであるので、毎回同じ条件で測定することができる。
【００１４】
さらにまた、本考案の植木鉢用支柱では、前記横桟および縦支柱は、互いに組を成し、前記園芸用植物の生長に伴い、前記組は上方に連結されてゆき、前記ゲージは、最上部の横桟から垂下していることを特徴とする。
【００１５】
上記の構成によれば、園芸用植物の生長に伴い、横桟および縦支柱の組は上方に連結されてゆく。一方、縦支柱の高さは既知であり、何組（段）組上げたかによって、最上部の横桟の高さは認識することができる。そのため、その最上部の横桟にゲージを移し、そのゲージの目盛りなどを読取った値を既知の高さに加えることで、園芸用植物の実際の高さを測定することができる。
【００１６】
したがって、ゲージを短くすることができ、経済的であるとともに、観察の邪魔にもなり難くすることができる。
【００１７】
また、本考案の植木鉢用支柱では、各組における前記横桟および縦支柱は、相互に等しい長さに形成され、かつ前記横桟は正多角形状に配置され、前記縦支柱は、下端部において、予め定める一方向に傾倒可能に枢支されており、複数組の前記横桟および縦支柱は、初期にはその縦支柱の総てが傾倒して、横桟が相互に積層されており、前記園芸用植物の生長に伴い、１組ずつ縦支柱が起立され、横桟が上昇してゆくことを特徴とする。
【００１８】
上記の構成によれば、正多角形状の横桟を、一方向に捩ることで縦支柱を傾倒させることができ、反対方向に捩ることで縦支柱を起立させることができる。
【００１９】
したがって、複雑な部品を組立てたりすること無く、容易に縦支柱および横桟の組（段）を増減させることができるとともに、部品の紛失の恐れなども無く、特に前記児童による成長観察などに用いるにあたって、好適である。
【００２０】
さらにまた、本考案の植木鉢用支柱では、前記ゲージは、前記指標が付された耐水紙から成ることを特徴とする。
【００２１】
上記の構成によれば、金型を起こしたりするような必要は無く、耐水紙に前記目盛りや数値を印刷し、帯状に切離すだけでゲージを実現することができる。
【００２２】
したがって、極めて低コストに作成することができ、支柱付植木鉢の、付属品、他社製品との差別化手段、或いは販売促進用に有効である。また、単なる紙の帯では、耐候性に劣るとともに、風によって反ったりして、測定し難いのに対して、耐水コートが施されることで、耐候性や剛性が上がり、測定し易くすることができる。
【００２３】
また、本考案の支柱付植木鉢は、前記の植木鉢用支柱と、植木鉢とを備えることを特徴とする。
【００２４】
上記の構成によれば、支柱付植木鉢の商品価値を高めることができる。
【考案の効果】
【００２５】
本考案の植木鉢用支柱およびそれを備えた植木鉢ならびに園芸用植物のゲージは、植木鉢に立設されて、朝顔などの園芸用植物を支持する支柱において、前記支柱が、前記園芸用植物を囲撓する横桟と、その横桟を前記植木鉢の上方に支持する縦支柱とを備えて構成される場合に、前記横桟にゲージを取付け、そのゲージに、前記園芸用植物の生長度合いを読取るための目盛りや数値などの指標を付しておく。
【００２６】
それゆえ、児童などの園芸用植物の成長度合いを観察する者は、前記目盛りや数値を読取るだけで、前記成長度合いを容易に測定することができるとともに、ゲージは横桟に取付けたままであるので、毎回同じ条件で測定することができる。
【図面の簡単な説明】
【００２７】
【図１】本考案の実施の一形態に係る支柱付植木鉢の使用状態を示す斜視図である。
【図２】本考案の実施の一形態に係る支柱付植木鉢の他の使用状態を示す斜視図である。
【図３】本考案の前提となる支柱付植木鉢の斜視図である。
【図４】本考案の前提となる支柱付植木鉢の他の状態を示す斜視図である。
【図５】本考案の前提となる支柱付植木鉢のさらに他の状態を示す斜視図である。
【考案を実施するための形態】
【００２８】
図１は、本考案の実施の一形態に係る支柱付植木鉢１ａの使用状態を示す斜視図である。図１では、園芸用植物の例として、朝顔８を示している。この支柱付植木鉢１ａは、植木鉢２に、植木鉢用支柱として、朝顔８を囲撓する横桟４と、その横桟４を植木鉢２の上方に支持する縦支柱３とを備えて構成される点は、前述の図３〜図５で示す支柱付植木鉢１と同様であり、対応する部分には同一の参照符号を付して、その説明を省略する。
【００２９】
注目すべきは、この支柱付植木鉢１ａでは、そのような支柱付植木鉢１の構成において、特に植木鉢用支柱に、朝顔８の生長度合いを読取るためのゲージ７が追加構成で設けられていることである。ゲージ７は、帯状に形成された耐水紙７１に、目盛り７２や、図示しない数値などの指標が付されて形成されている。このゲージ７は、先端７３部分がループ状に折返されて、内側に横桟４を巻き込み、その先端７３部分が、耐水紙７１において前述の指標が付されている面とは反対側の面に貼付けられることで、横桟４から垂下している。このゲージ７の取付けは、接着、テープ止め、面ファスナー止め等のいずれであってもよい。
【００３０】
そして、この図１は、説明の関係上、当該支柱付植木鉢１ａの使用後期、すなわち朝顔８が十分成長した状態での横桟４および縦支柱３の状態を示している。すなわち、図１は、支柱付植木鉢１の状態としては、図３の状態に対応しているが、ゲージ７は初期での取付け状態を示している。詳しくは、横桟４および縦支柱３の組（段）が３組（段）設けられている内、最も下の組（段）の横桟４１にゲージ７が取付けられている。しかしながら、実際は、朝顔８の成長に伴い、図２で示すように、横桟４および縦支柱３の組（段）が２組（段）になると、上の組（段）の横桟４２に、ゲージ７が移設される。横桟４および縦支柱３を、図１および図３のように、３組（段）の全長に伸ばした状態では、ゲージ７は横桟４３に取付けられる。このようにゲージ７は、最上段の横桟４３に取付けられ、朝顔８の先端の長さ（高さ）を測定するようになっている。
【００３１】
このように本実施形態に係る支柱付植木鉢１ａは、植木鉢用支柱として、朝顔８を囲撓する横桟４と、その横桟４を植木鉢２の上方に支持する縦支柱３とを備えて構成される場合に、横桟４にゲージ７を取付け、そのゲージに、朝顔８の生長度合いを読取るための目盛り７２や数値などの指標を付しておくので、児童などの観察者は、前記目盛り７２や数値を読取るだけで、成長度合いを容易に測定することができるとともに、ゲージ７は横桟４に取付けたままであるので、毎回同じ条件で測定することができる。
【００３２】
また、横桟４および縦支柱３は、互いに組を成し、朝顔８の生長に伴い、前記組は上方に連結されてゆく時、縦支柱３の高さは既知であり、何組（段）組上げたかによって、最上部の横桟の高さは認識することができる。このことを利用して、本実施形態では、ゲージ７は、最上部の横桟から垂下させ、そのゲージ７の目盛り７２などを読取った値を既知の高さに加えることで、朝顔８の実際の高さを測定するので、ゲージ７を短くすることができ、経済的であるとともに、観察の邪魔にもなり難くすることができる。
【００３３】
さらにまた、本実施形態の植木鉢用支柱では、各組（段）における横桟４および縦支柱３は相互に等しい長さに形成され、かつ横桟４は正多角形状に配置され、縦支柱３は下端部３１において、予め定める一方向、たとえば図１において縦支柱３２について見れば、矢符Ｆ１方向に傾倒可能に枢支されている。そのため、複数組（段）の横桟４および縦支柱３は、初期には、前述の図４で示すように、その縦支柱３の総てが傾倒して、横桟４が相互に積層されており、朝顔８の生長に伴い、図５→図２→図１および図３のように、１組ずつ縦支柱３を起立させ、横桟４を上昇させてゆくことができる。これによって、正多角形状の横桟４を、矢符Ｆ２で示す一方向に捩ることで縦支柱３を傾倒させることができ、反対方向に捩ることで縦支柱３を起立させることができる。こうして、複雑な部品を組立てたりすること無く、容易に縦支柱３および横桟４の組（段）を増減させることができるとともに、部品の紛失の恐れなども無く、特に前記児童による成長観察などに用いるにあたって、本実施形態の植木鉢用支柱は、好適である。
【００３４】
また、本実施形態の植木鉢用支柱では、ゲージ７は、指標が付された耐水紙から成るので、樹脂成形品の定規などのように、金型を起こしたりするような必要は無く、耐水紙７１に前記目盛り７２や数値を印刷し、帯状に切離すだけで、極めて低コストに実現することができる。これによって、支柱付植木鉢１ａの、付属品、他社製品との差別化手段、或いは販売促進用に有効である。また、単なる紙の帯では、耐候性に劣るとともに、風によって反ったり（靡いたり）して、測定し難いのに対して、耐水コートが施されることで、耐候性や剛性が上がり（鉛直に垂下し）、測定し易くすることができる。
【００３５】
そして、本実施形態の支柱付植木鉢１ａは、低コストなゲージ７を備えるだけで、極めて高い商品価値を得ることができる。
【符号の説明】
【００３６】
１ａ    支柱付植木鉢
２    植木鉢
３    縦支柱
４    横桟
５    結節点
６    ペットボトル
７    ゲージ
７１    耐水紙
７２    目盛り
８    朝顔
【図１】
0003203006.tif 000003
【図２】
0003203006.tif 000004
【図３】
0003203006.tif 000005
【図４】
0003203006.tif 000006
【図５】
0003203006.tif 000007